(57)【要約】【課題】ＬＣＤパネルの駆動に起因するＦＰＣの振動を制振して筐体内での音鳴りを抑制するとともに、部品点数および組み立て工数の増加を回避することにある。【解決手段】筐体２と、筐体２内に配設された第１表示装置５と、筐体２内に配設されるとともに、一端部が第１表示装置５と電気的に接続され、かつ、第１表示装置５の駆動に必要な駆動電圧を生成する昇圧回路が実装されたＦＰＣ５ａと、背面側が第１表示装置５の背面側に対向して筐体２内に配設された第２表示装置９と、弾性部材で形成されかつ、第２表示装置９の表示面の少なくとも一部を露出させた状態で第２表示装置９を保持するとともに第１表示装置５の背面側に向けて附勢されて筐体２内に配置された弾性保持部材８とを備える表示機器であって、ＦＰＣ５ａの少なくとも一部が第１表示装置５の背面側に対向する対向部５ｄを有し、その対向部５ｄが弾性保持部材８に当接されることを特徴とするものである。【選択図】図５
2008180988.tif 000002
【特許請求の範囲】
【請求項１】
筐体と、
前記筐体内に配設された第１表示装置と、
前記筐体内に配設されるとともに、一端部が前記第１表示装置と電気的に接続され、かつ、前記第１表示装置の駆動に必要な駆動電圧を生成する昇圧回路が実装されたフレキシブルプリント基板と、
背面側が前記第１表示装置の背面側に対向して前記筐体内に配設された第２表示装置と、
弾性部材で形成され、かつ、前記第２表示装置の表示面の少なくとも一部を露出させた状態で前記第２表示装置を保持するとともに前記第１表示装置の背面側に向けて附勢されて前記筐体内に配置された弾性保持部材と、を備え、
前記フレキシブルプリント基板は、少なくとも一部が前記第１表示装置の背面側に対向する対向部を有し、
前記フレキシブルプリント基板の前記対向部は、前記弾性保持部材に当接されることを特徴とする、表示機器。
【請求項２】
前記フレキシブルプリント基板は、前記一端部から前記対向部にかけて前記第１表示装置の背面側に回り込んで形成される、ことを特徴とする請求項１記載の表示機器。
【請求項３】
前記フレキシブルプリント基板の他端部と電気的に接続されるとともに、前記第２表示装置と電気的に接続され、かつ、前記弾性保持部材の、前記第１表示装置の背面側と対向する面と当接して前記筐体内に配設された回路基板をさらに備え、
前記フレキシブルプリント基板の前記対向部は、前記回路基板に当接される、ことを特徴とする請求項１または請求項２記載の表示機器。
【請求項４】
前記弾性保持部材は、非導電体で形成された非導電部を備え、
前記フレキシブルプリント基板の前記対向部は、前記弾性保持部材の前記非導電部に当接される、ことを特徴とする請求項１から請求項３までの何れか一項記載の表示機器。
【請求項５】
前記弾性保持部材の、前記第１表示装置の背面側と対向する面と反対側の面は、前記筐体の内面に当接される、ことを特徴とする請求項１から請求項４までの何れか一項記載の表示機器。
【発明の詳細な説明】
【技術分野】
【０００１】
この発明は、表示装置を筐体内に配設されて備える表示機器に関するものである。
【背景技術】
【０００２】
表示装置を筐体内に配設されて備える表示機器としては従来、例えば表示側筐体と文字入力側筐体とが開閉式となっていてその表示側筐体内に表示装置としてのＬＣＤ（液晶表示）パネルを備える開閉式携帯電話機が良く知られており、この携帯電話機は、通話時には文字入力側筐体から表示側筐体を開き、表示側筐体を耳に近づけて用いるよう構成されているのが通常である。
【０００３】
しかしながら、表示側筐体内のＬＣＤパネルは高い駆動電圧を必要とするその駆動方式から、そのＬＣＤパネルに接続されたＦＰＣ（フレキシブルプリント基板）上にそのＬＣＤパネルの駆動に必要な駆動電圧を生成するために昇圧回路が実装されていて、その昇圧回路やＬＣＤパネル自体等に微小な振動が発生し、その振動によって表示側筐体内に可聴域の音鳴りが発生する場合がある。
【０００４】
このようなＬＣＤパネルの駆動に起因する音鳴りを防止した従来の表示装置としては、例えば本願出願人が開示した特許文献１記載の携帯通信端末装置が知られており、この携帯通信端末装置は、表示装置としてのＬＣＤパネル用に開けられた、筐体としての本体ケースの開口部の周囲にゴムキャップを敷き、このゴムキャップを挟んでＬＣＤパネルを本体ケースに装着することで、ＬＣＤパネル自体に生ずる振動を減衰させている。
【特許文献１】特開２００５−２１０４０２号公報
【発明の開示】
【発明が解決しようとする課題】
【０００５】
ところで上記従来の携帯通信端末装置によれば、ＬＣＤパネルの駆動に起因する振動を減衰させることはできるものの、その振動を減衰させるためにゴムキャップという部材をわざわざ用意して装着する必要があり、部品点数や組み立て工数の増加を招いてしまうという、改良することが望ましい点があった。
【課題を解決するための手段】
【０００６】
この発明は、上記課題を有利に解決することを目的とするものであり、この発明の表示機器は、筐体と、前記筐体内に配設された第１表示装置と、前記筐体内に配設されるとともに、一端部が前記第１表示装置と電気的に接続され、かつ、前記第１表示装置の駆動に必要な駆動電圧を生成する昇圧回路が実装されたフレキシブルプリント基板と、背面側が前記第１表示装置の背面側に対向して前記筐体内に配設された第２表示装置と、弾性部材で形成され、かつ、前記第２表示装置の表示面の少なくとも一部を露出させた状態で前記第２表示装置を保持するとともに前記第１表示装置の背面側に向けて附勢されて前記筐体内に配置された弾性保持部材と、を備え、前記フレキシブルプリント基板は、少なくとも一部が前記第１表示装置の背面側に対向する対向部を有し、前記フレキシブルプリント基板の前記対向部は、前記弾性保持部材に当接されることを特徴としている。
【発明の効果】
【０００７】
かかる発明の表示機器にあっては、筐体内に、第１表示装置と第２表示装置とが背中合わせの向きで配置されるとともに、一端部がその第１表示装置と電気的に接続され、かつその第１表示装置の駆動に必要な駆動電圧を生成する昇圧回路が実装されたフレキシブルプリント基板が配置され、さらにその筐体内に、弾性部材で形成された弾性保持部材が第２表示装置を保持しつつ第１表示装置の背面側に位置する部材に向けて附勢されて配置され、その弾性保持部材が、フレキシブルプリント基板の少なくとも一部をなす、第１表示装置の背面側に対向する対向部に当接している。
【０００８】
従って、この発明の表示機器によれば、ＬＣＤパネルの駆動に起因するフレキシブルプリント基板の振動を制振して筐体内での音鳴りを抑制することができ、しかもそのフレキシブルプリント基板の制振のために別部材をわざわざ用意して装着する必要がないので、部品点数および組み立て工数の増加を回避することができる。
【発明を実施するための最良の形態】
【０００９】
以下、本発明の実施の形態を実施例によって、図面に基づき詳細に説明する。ここに、図１は、この発明の表示機器の一実施例としての折畳式携帯電話機の、表示側筐体の内部構成を示す分解斜視図であり、図２（ａ），（ｂ）は、その実施例の折畳式携帯電話機の全体を、表示側筐体と文字入力側筐体とを相互に開いた状態でフロントケース側およびリアケース側から見てそれぞれ示す斜視図であり、図３は、上記実施例の折畳式携帯電話機の表示側筐体に組み込まれるサブＬＣＤホルダーを単体で示す正面図であり、図４（ａ），（ｂ），（ｃ）は、上記実施例の折畳式携帯電話機の表示側筐体に組み込まれるＬＣＤユニットにサブＬＣＤホルダーで保持したサブＬＣＤを組み付けた状態を示す正面図、背面図および、その正面図中のＡ−Ａ線に沿う断面図であり、そして図５（ａ），（ｂ），（ｃ）は、上記実施例の折畳式携帯電話機の表示側筐体をリアケース側から見た背面図、その表示側筐体をリアケースを除いた状態で示す背面図および、それらの背面図中のＢ−Ｂ線に沿う断面図である。なお、図中、符号１はこの実施例の折畳式携帯電話機を示している。
【００１０】
この実施例の折畳式携帯電話機１は、図２に示すように、表示側筐体２（筐体）と文字入力側筐体３とを備え、表示側筐体２は、フロントケース２ａとリアケース２ｂとが相互に嵌合されるとともにケース固定用ネジで固定されて構成され、また、文字入力側筐体３も、フロントケース３ａとリアケース３ｂとが相互に嵌合されるとともにケース固定用ネジで固定されて構成されている。そしてこれら表示側筐体２と文字入力側筐体３とは、ヒンジ部４を介して相互に開閉自在に連結されており、さらに表示側筐体２はヒンジ部４に、当該折畳式携帯電話機１の長手方向に延在する軸線周りに１８０度反転可能に連結されている。
【００１１】
表示側筐体２は、図１に示すように、フロントケース２ａの外側に、スイッチボタンの内容を表示するスイッチボタン表示ケース２ｃを搭載されたトリムプレート２ｄが嵌着されるとともに、フロントケース２ａとリアケース２ｂとの内部に、第１表示装置としてのメインＬＣＤ５と、金属製のフレーム６と、回路基板７と、非導電性の例えばゴム状弾性部材で形成されたここでは図示しないサブＬＣＤホルダー（弾性保持部材）（図３に示すサブＬＣＤホルダー８）と、第２表示装置としてのサブＬＣＤ９と、を、フロントケース２ａ側から上記の順で内蔵しており、メインＬＣＤ５は、フロントケース２ａからトリムプレート２ｄを介して外部から視認可能とされ、その一方、サブＬＣＤ９は、リアケース２ｂの中央部の透明窓２ｅを介して外部から視認可能とされている。またその回路基板７には、スピーカ等の各種電子部品が実装されて電気的に接続されている。
【００１２】
一方、文字入力側筐体３は、フロントケース３ａとリアケース３ｂとの内部に、図示しない回路基板を内蔵するとともに、その回路基板に重ねて通電部材および電磁シールド部材としての金属製の図示しないシールドケースを内蔵しており、そのシールドケースには、複数のキースイッチを搭載した図示しないキーフレキシブル基板（キーＦＰＣ）が重ねられている。そしてそのキーＦＰＣには、図示しないキーシートが重ねて配置され、そのキーシートの上記キースイッチと対向する位置には操作キー１１がそれぞれ配置され、この操作キー１１がフロントケース３ａから表出している。また上記回路基板には、マイク等の各種電子部品が実装されて電気的に接続されている。
【００１３】
ここで、メインＬＣＤ５は、ＬＣＤ本体５ａの一端部（図１では左方端部）から延出するとともにその上にＬＣＤ本体５ａの駆動用の図示しない昇圧回路を実装したフレキシブルプリント基板（ＦＰＣ）５ｂと、ＬＣＤ本体５ａの背面側（図１では下方）に突出する三箇の爪５ｃとを有している。またフレーム６は、正面（図１では上向きの面）側にＬＣＤ本体５ａが嵌まり込む凹部６ａを有するとともに、背面（図１では下向きの面）側に回路基板７が嵌まり込む凹部６ｂを有し、さらにＬＣＤ本体５ａの三箇の爪５ｃに対応する位置にそれぞれ貫通孔６ｃを有している。そして回路基板７は、ＬＣＤ本体５ａの三箇の爪５ｃに対応する外周縁位置にそれぞれ形成された浅い切り欠き状の係合部７ａを有している。
【００１４】
これにより、図４に示すように、ＬＣＤ本体５ａがフレーム６の凹部６ａ内に嵌まり込むとともに、回路基板７がフレーム６の凹部６ｂ内に嵌まり込んだ状態で、ＬＣＤ本体５ａの三箇の爪５ｃがフレーム６の三個の貫通孔６ｃをそれぞれ貫通して、回路基板７の外周縁の三箇所の係合部７ａに嵌り合って回路基板７と係合し、ＬＣＤ本体５ａとフレーム６と回路基板７とが一体化してＬＣＤユニット１０を構成する。
【００１５】
そしてそのＬＣＤユニット１０に組み立てた状態では、メインＬＣＤ５のＦＰＣ５ｂは、図４および図５に示すように、ＬＣＤ本体５ａの背面側（図５（ｃ）では上方）に折り曲げられていて、フレーム６の凹部６ｂ内に位置してＬＣＤ本体５ａの背面側に対向する対向部５ｄを有しており、そのＦＰＣ５ｂの対向部５ｄから側方に突出する側部５ｅは、さらに回路基板７の外側（図４（ａ）では紙面上方側）に折り返されていて、ＬＣＤ本体５ａは、その折り返されたＦＰＣ５ｂの側部５ｅに設けられたコネクター５ｆと基板７上のコネクター７ｂとが互いに対向して接続される。これにより、メインＬＣＤ５は、回路基板７と電気的に接続されている。
【００１６】
一方、サブＬＣＤ９は、ＬＣＤ本体９ａの一側部（図１では手前側の側部）から延出するフレキシブルプリント基板（ＦＰＣ）９ｂを有しており、そのＦＰＣ９ｂ上にはＬＣＤ本体９ａの駆動用の電子回路９ｃが実装されている。またサブＬＣＤホルダー８は、図３に示すように、中央部にサブＬＣＤ９を嵌着されて保持する保持孔８ａと、長手方向に延出する非導電部としてのＦＰＣ押さえ部８ｂと、側方に延出するコネクター保護部８ｃと、フレーム６や回路基板７への固定部８ｄとを有して、図４に示すように、サブＬＣＤ９をその表示面（図４では紙面上方へ向く面）の全部または大部分（少なくとも一部）を露出させた状態で保持する。そして、サブＬＣＤ９のＬＣＤ本体９ａは、図４に示すように、固定部８ｄの、フレーム６への嵌着および回路基板７へのねじ止め等で固定されたサブＬＣＤホルダー８を介してＬＣＤユニット１０に搭載され、そのサブＬＣＤ９のＦＰＣ９ｂは、サブＬＣＤホルダー８のコネクター保護部８ｃ上に延在し、コネクター保護部８ｃの先端を越えた位置で折り曲げられてコネクター保護部８ｃと回路基板７との間に挟まれ、その挟まれた先端部９ｄに設けられたコネクター９ｅと基板７上のコネクター７ｃとが互いに対向して接続される。これにより、サブＬＣＤ９は、回路基板７と電気的に接続されている。
【００１７】
かかるＬＣＤユニット１０は、この実施例の折畳式携帯電話機１が組み立てられた状態では、図５に示すように、表示側筐体２のリアケース２ｂ内に嵌め込まれて表示側筐体２内に配設されており、この状態では、図５（ｃ）に示すように、サブＬＣＤホルダー８のＦＰＣ押さえ部８ｂの、メインＬＣＤ５のＦＰＣ５ｂの対向部５ｄに対向する面が、ＬＣＤ本体５ａの背面側（図１では下方）に対向するとともに、その面と反対側の面が、表示側筐体２のリアケース２ｂの内面と当接し、これによってＦＰＣ押さえ部８ｂが、メインＬＣＤ５の背面側に附勢されるとともに、ＦＰＣ５ｂの対向部５ｄをフレーム６の凹部６ｂの底に押さえ付けている。
【００１８】
またこの実施例では、回路基板７はフレーム６から突出する延在部７ｄを有するとともに、その延在部７ｄの先端部に部品搭載部７ｅを有しており、その延在部７ｄも、ＬＣＤユニット１０に組み立てられた状態ではＦＰＣ５ｂの対向部５ｄをフレーム６の凹部６ｂの底に押さえ付けている。そして部品搭載部７ｅは、折畳式携帯電話機１の先端部に位置するので、例えばその部品搭載部７ｅに赤外線通信用素子（ＩＲＤＡ）やリアスピーカー用コネクター等を搭載すれば、好適に他の通信機器等との赤外線通信を可能にしたり、表示側筐体２の先端部に位置することが通常であるリアスピーカーと回路基板７とを容易に電気的に接続することができたりする。なお、この部品搭載部７ｅに搭載される電子部品は、これらＩＲＤＡやリアスピーカー用コネクターに限定されるものでなく、他の電子部品であっても良い。
【００１９】
さらにこの実施例では、サブＬＣＤホルダー８のＦＰＣ押さえ部８ｂに開口部８ｅが形成されており、一方、サブＬＣＤホルダー８のその開口部８ｅの、保持孔８ａ寄りの端部に隣接する、回路基板７の端部には、図示しない発光ダイオード（ＬＥＤ）が搭載され、またサブＬＣＤホルダー８の開口部８ｅに対応する、表示側筐体２のリアケース２ｂの中央部には図示しない透光窓が設けられており、着信時等にそのＬＥＤが発光し、その光をリアケース２ｂの上記透光窓を介して見ることができる。
【００２０】
かかる実施例の折畳式携帯電話機１にあっては、表示側筐体２内に、メインＬＣＤ５とサブＬＣＤ９とが背中合わせの向きで配置されるとともに、一端部がそのメインＬＣＤ５のＬＣＤ本体５ａと電気的に接続され、かつそのメインＬＣＤ５のＬＣＤ本体５ａの駆動に必要な駆動電圧を生成する昇圧回路が実装されたＦＰＣ５ｂが配置され、さらにその表示側筐体２内に、弾性部材で形成されたサブＬＣＤホルダー８がサブＬＣＤ９のＬＣＤ本体９ａを保持しつつ、メインＬＣＤ５の背面側に位置するフレーム６の底部に向けて附勢されて配置され、そのサブＬＣＤホルダー８のＦＰＣ押さえ部８ｂが、ＦＰＣ５ｂの一部をなす、メインＬＣＤ５の背面側に対向する対向部５ｄに当接して、その対向部５ｄをメインＬＣＤ５の背面側に位置するフレーム６の底部に押さえ付けている。
【００２１】
従って、この実施例の折畳式携帯電話機１によれば、メインＬＣＤ５を駆動させるために昇圧回路により生成される駆動電圧に起因するＦＰＣ５ｂの振動を制振して表示側筐体２内での音鳴りを抑制することができ、しかもそのＦＰＣ５ｂの制振のためにサブＬＣＤホルダー８を利用するため、別部材をわざわざ用意して装着する必要がないので、部品点数および組み立て工数の増加を回避することができる。さらに、サブＬＣＤホルダー８は、非導電性の弾性部材で形成されているので、サブＬＣＤ９を電気的に絶縁するとともに、リアケース２ｂの透明窓２ｅの周囲を密閉して、サブＬＣＤ９の表面上への埃等の入り込みを抑制することができる。
【００２２】
また、この実施例の折畳式携帯電話機１によれば、メインＬＣＤ５のＬＣＤ本体５ａもフレーム６および回路基板７と一体化させてＬＣＤユニット１０にしているので、ＬＣＤ本体５ａの振動も制振して、この点でも表示側筐体２内での音鳴りを抑制することができ、しかもメインＬＣＤ５とフレーム６と回路基板７、さらにはサブＬＣＤ９もＬＣＤユニット１０にして表示側筐体２内に配設しているので、組み立て工数を削減するとともに組み立てを容易ならしめることができる。
【００２３】
さらに、この実施例の折畳式携帯電話機１によれば、メインＬＣＤ５のＦＰＣ５ｂが、ＬＣＤ本体５ａ側の端部から対向部５ｄにかけてメインＬＣＤ５の背面側に回り込んで形成されていることから、ＦＰＣ５ｂの反発弾性で対向部５ｄがサブＬＣＤホルダー８のＦＰＣ押さえ部８ｂに押し付けられるので、この点からもＦＰＣ５ｂの振動を制振して表示側筐体２内での音鳴りを抑制することができる。
【００２４】
さらに、この実施例の折畳式携帯電話機１によれば、メインＬＣＤ５のＦＰＣ５ｂの側部５ｅと、コネクター５ｆ，７ｂを介して電気的に接続されるとともに、サブＬＣＤ９ともコネクター９ｅ，７ｃを介して電気的に接続され、かつ、サブＬＣＤホルダー８の、メインＬＣＤ５の背面側と対向する面と当接して表示側筐体２内に配設された回路基板７をさらに備え、ＦＰＣ５ｂの対向部５ｄがその回路基板７の延在部７ｄに当接されているので、回路基板７の部品非実装領域である延在部７ｄも利用して、ＦＰＣ５ｂの振動を制振して表示側筐体２内での音鳴りを抑制することができる。
【００２５】
さらに、この実施例の折畳式携帯電話機１によれば、サブＬＣＤホルダー８は、非導電体で形成されていて、非導電部であるＦＰＣ押さえ部８ｂを有しており、ＦＰＣ５ｂの対向部５ｄがその非導電部であるＦＰＣ押さえ部８ｂに当接されるので、ＦＰＣ５ｂの対向部５ｄのプリント配線がＦＰＣ押さえ部８ｂで互いに導通したりグラウンドに落ちたりしてしまうのを回避することができる。
【００２６】
さらに、この実施例の折畳式携帯電話機１によれば、サブＬＣＤホルダー８のＦＰＣ押さえ部８ｂの、メインＬＣＤ５の背面側と対向する面と反対側の面は、リアケース２ｂの内面に当接されることから、ＦＰＣ押さえ部８ｂをそのリアケース２ｂの内面でＦＰＣ５ｂの対向部５ｄへ向けて押圧しているので、この点からもＦＰＣ５ｂの振動を制振して表示側筐体２内での音鳴りを抑制することができる。
【００２７】
以上、図示例に基づき説明したが、この発明は上述の例に限定されるものでなく、特許請求の範囲の記載範囲内で適宜変更し得るものであり、例えばこの発明の表示機器は、携帯電話機以外の、例えばパームトップコンピュータやゲーム機等の携帯電子装置にも、あるいはそれ以外の電子装置にも適用することができる。
【００２８】
また、上述した実施例ではサブＬＣＤホルダー８およびそのＦＰＣ押さえ部８ｂを非導電性のゴム状弾性部材で形成しているが、その代わりに軟質プラスチックまたは、表面を絶縁コーティングした金属で形成しても良い。
【００２９】
さらに、上述した実施例では第１表示装置はメインＬＣＤ５とし、第２表示装置はサブＬＣＤ９としているが、それらの代わりに有機型電子発光表示装置（ＯＬＥＤ）を用いても良い。
【産業上の利用可能性】
【００３０】
かくしてこの発明の表示機器によれば、ＬＣＤパネルを駆動させるために昇圧回路により生成される駆動電圧に起因するフレキシブルプリント基板の振動を制振して筐体内での音鳴りを抑制することができ、しかもそのフレキシブルプリント基板の制振のために別部材をわざわざ用意して装着する必要がないので、部品点数および組み立て工数の増加を回避することができる。
【図面の簡単な説明】
【００３１】
【図１】この発明の表示機器の一実施例としての折畳式携帯電話機の、表示側筐体の内部構成を示す分解斜視図である。
【図２】（ａ），（ｂ）は、上記実施例の折畳式携帯電話機の全体を、表示側筐体と文字入力側筐体とを相互に開いた状態でフロントケース側およびリアケース側から見てそれぞれ示す斜視図である。
【図３】上記実施例の折畳式携帯電話機の表示側筐体に組み込まれるサブＬＣＤホルダーを単体で示す正面図である。
【図４】（ａ），（ｂ），（ｃ）は、上記実施例の折畳式携帯電話機の表示側筐体に組み込まれるＬＣＤユニットにサブＬＣＤホルダーで保持したサブＬＣＤを組み付けた状態を示す正面図、背面図および、その正面図中のＡ−Ａ線に沿う断面図である。
【図５】（ａ），（ｂ），（ｃ）は、上記実施例の折畳式携帯電話機の表示側筐体をリアケース側から見た背面図、その表示側筐体をリアケースを除いた状態で示す背面図および、それらの背面図中のＢ−Ｂ線に沿う断面図である。
【符号の説明】
【００３２】
１  折畳式携帯電話機
２  表示側筐体
２ａ  フロントケース
２ｂ  リアケース
２ｃ  スイッチボタン表示ケース
２ｄ  トリムプレート
２ｅ  透明窓
３  文字入力側筐体
３ａ  フロントケース
３ｂ  リアケース
４  ヒンジ部
５  メインＬＣＤ
５ａ  ＬＣＤ本体
５ｂ  ＦＰＣ
５ｃ  爪
５ｄ  対向部
５ｅ  側部
５ｆ  コネクター
６  フレーム
６ａ，６ｂ  凹部
６ｃ  貫通孔
７  回路基板
７ａ  係合部
７ｂ，７ｃ  コネクター
７ｄ  延在部
７ｅ  部品搭載部
８  サブＬＣＤホルダー
８ａ  保持孔
８ｂ  ＦＰＣ押さえ部
８ｃ  コネクター保護部
８ｄ  固定部
８ｅ  開口部
９  サブＬＣＤ
９ａ  ＬＣＤ本体
９ｂ  ＦＰＣ
９ｃ  電子回路
９ｄ  先端部
９ｅ  コネクター
１０  ＬＣＤユニット
１１  操作キー
【図１】
2008180988.tif 000003
【図２】
2008180988.tif 000004
【図３】
2008180988.tif 000005
【図４】
2008180988.tif 000006
【図５】
2008180988.tif 000007